(57)【要約】      （修正有）【課題】腰掛付き浴室カウンターと浴槽との間の部分の清掃を容易化するとともに、腰掛部への座り心地を改善することができる浴室ユニットを提供する。【解決手段】浴室ユニット１の浴槽正面部２ａと交差する洗い場壁４に浴室カウンター１０を設ける。浴室カウンター１０を浴槽２から離し、浴槽２と浴室カウンター１０との間に離隔スペース５を画成して腰掛部材２０を被せる。腰掛部材２０の座部２１を浴槽２の上面から浴室カウンター１０の上面に跨らせ、基部を座部２１から下方へ突出させて離隔スペース５に挿し入れる。基部に形成した係止部を、浴槽正面部２ａの係止受け部と着脱可能に係止する。【選択図】図３
2020115972.tif 000002
【特許請求の範囲】
【請求項１】
浴槽の正面部と交差する洗い場壁に前記浴槽から離れて設けられた浴室カウンターと、
前記浴槽と浴室カウンターとの間に画成された離隔スペースに着脱可能に被さる腰掛部材と、
前記浴槽と浴室カウンターと洗い場壁のうち少なくとも１つの前記離隔スペースに面する部分に設けられた係止受け部と、
を備え、前記腰掛部材が、前記浴槽の上面から前記浴室カウンターの上面に跨る座部と、前記座部から下方へ突出されて前記離隔スペースに挿し入れられる基部とを含み、前記基部に前記係止受け部と着脱可能に係止される係止部が形成されていることを特徴とする浴室ユニット。
【請求項２】
前記腰掛部材の少なくとも座部が、前記浴室カウンターより軟質であることを特徴とする請求項１に記載の浴室ユニット。
【請求項３】
前記係止受け部が、前記正面部から突設されており、前記係止部が、前記基部における前記正面部と対向する側面に凹設されていることを特徴とする請求項１又は２に記載の浴室ユニット。
【請求項４】
前記係止部が、前記係止受け部が収容される収容凹部と、前記収容凹部から前記基部の洗い場壁側の端部へ向かうにしたがって下方へ斜めに延びて前記基部の下面に達する案内溝とを有し、前記収容凹部と前記案内溝との連通部には、前記係止受け部の通過を弾性的に許容するクリック部が形成されていることを特徴とする請求項３に記載の浴室ユニット。
【請求項５】
前記正面部における前記洗い場壁と直交する方向の複数箇所にそれぞれ前記係止受け部が設けられ、
前記基部における前記係止受け部と対応する複数箇所にそれぞれ前記係止部が設けられていることを特徴とする請求項１〜４の何れか１項に記載の浴室ユニット。
【請求項６】
前記係止受け部が着脱可能であることを特徴とする請求項１〜５の何れか１項に記載の浴室ユニット。
【請求項７】
前記浴室カウンターが、前記正面部と対向する第２洗い場壁と離れていることを特徴とする請求項１〜６の何れか１項に記載の浴室ユニット。
【請求項８】
前記浴室カウンターの上面が、前記浴槽の上面より低く、
前記座部における前記浴室カウンター上に載置されるカウンター側座面部が、前記座部における前記浴槽上に載置される浴槽側座面部よりも、前記浴室カウンターと前記浴槽の上面どうしの高低差だけ厚肉であることを特徴とする請求項１〜７の何れか１項に記載の浴室ユニット。
【請求項９】
浴室ユニットにおける浴槽の正面部と交差する洗い場壁に前記浴槽から離れて設けられた浴室カウンターと前記浴槽との間に着脱可能に設けられる腰掛部材であって、
前記浴槽の上面から前記浴室カウンターの上面に跨る座部と、前記座部から下方へ突出された基部と、前記基部に形成された係止部と、を含み、
前記基部が、前記浴槽と浴室カウンターとの間に画成された離隔スペースに挿し入れられ、前記係止部が、前記浴槽と浴室カウンターと洗い場壁のうち少なくとも１つの前記離隔スペースに面する部分に設けられた係止受け部と着脱可能に係止されることを特徴とする腰掛部材。
【発明の詳細な説明】
【技術分野】
【０００１】
本発明は、浴室ユニット及び該浴室ユニットの腰掛部材に関し、特に洗い場壁に浴室カウンターが設けられた浴室ユニット及び浴室カウンターに付属する腰掛部材に関する。
【背景技術】
【０００２】
この種の浴室ユニットの洗い場壁には、湯桶や石鹸類を置くための浴室カウンター（湯桶台）が設けられている。
例えば特許文献１の浴室カウンターにおいては、浴槽側の端部が洗い場内側へ張り出すことで腰掛部として提供されている。腰掛部は、高齢者等の入浴者が浴槽に出入りする際に一旦腰掛けたり、洗体等の際の座椅子として使用したりできる。
【先行技術文献】
【特許文献】
【０００３】
【特許文献１】特開平１１−３１８７４６号公報
【発明の概要】
【発明が解決しようとする課題】
【０００４】
特許文献１等の腰掛部一体型の浴室カウンターは、浴槽に突き当てられるとともに浴槽と連結されて固定されている。浴室カウンターと浴槽との間には繋ぎ目が形成されている。このような繋ぎ目は汚れ易いうえに清掃しにくい。
また、この種の浴室カウンターは、腰掛部も含めて繊維強化プラスチック（以下「ＦＲＰ」）などの、浴槽と同材質の硬質材によって構成されている。このため、腰掛部への座り心地が良好でない。
本発明は、かかる事情に鑑み、浴室ユニットにおける腰掛付き浴室カウンターと浴槽との間の部分の清掃を容易化するとともに、腰掛部への座り心地を改善することを目的とする。
【課題を解決するための手段】
【０００５】
前記課題を解決するため、本発明に係る浴室ユニットは、浴槽の正面部と交差する洗い場壁に前記浴槽から離れて設けられた浴室カウンターと、
前記浴槽と浴室カウンターとの間に画成された離隔スペースに着脱可能に被さる腰掛部材と、
前記浴槽と浴室カウンターと洗い場壁のうち少なくとも１つの前記離隔スペースに面する部分に設けられた係止受け部と、
を備え、前記腰掛部材が、前記浴槽の上面から前記浴室カウンターの上面に跨る座部と、前記座部から下方へ突出されて前記離隔スペースに挿し入れられる基部とを含み、前記基部に前記係止受け部と着脱可能に係止される係止部が形成されていることを特徴とする。
【０００６】
浴槽と浴室カウンターとの間に腰掛部材を設置することによって離隔スペースが塞がれる。腰掛部材は、高齢者等の入浴者が浴槽に出入りする際に一旦腰掛けたり、洗体等の際の座椅子として使用したりできる。
清掃時には腰掛部材を取り外すことで、浴槽と浴室カウンターとの間の離隔スペースが開放される。これによって、浴槽正面部や浴室カウンターの浴槽側端部や腰掛部材を容易に清掃できる。
腰掛部材が浴室カウンターとは別体であるから、浴室カウンターとは別途に、座り心地などの観点から腰掛部材の材質を選択でき、座り心地を改善することができる。
【０００７】
前記腰掛部材の少なくとも座部が、前記浴室カウンターより軟質であることが好ましい。
これによって、腰掛部材への座り心地を良好にできる。
好ましくは、前記腰掛部材はポリウレタンフォームなどの発泡樹脂によって構成されている。
【０００８】
前記係止受け部が、前記正面部から突設されており、前記係止部が、前記基部における前記正面部と対向する側面に凹設されていることが好ましい。
これによって、浴室カウンター及び洗い場壁には係止受け部を設けずに済む。
【０００９】
前記係止部が、前記係止受け部が収容される収容凹部と、前記収容凹部から前記基部の洗い場壁側の端部へ向かうにしたがって下方へ斜めに延びて前記基部の下面に達する案内溝とを有し、前記収容凹部と前記案内溝との連通部には、前記係止受け部の通過を弾性的に許容するクリック部が形成されていることが好ましい。
腰掛部材を設置する際は、案内溝に係止受け部を挿し入れ、腰掛部材を押し下げながら洗い場壁部側へ押し込む。すると、係止受け部が案内溝に案内され、やがてクリック部を通過して収容凹部に嵌り込む。クリック部の通過時にはクリック部が弾性変形されることでクリック感が生じる。該クリック感の有無によって、腰掛部材が正しく設置されたか否かを判断できる。
クリック部は、前記装着後の係止受け部が収容凹部から外れないように保持する機能をも有している。
腰掛部材を取り外す際は、該腰掛部材を引き上げながら洗い場内側へ引き込む。すると、係止受け部が収容凹部からクリック部を通過して案内溝へ抜ける。このとき、クリック部の弾性変形によってクリック感が生じる。更に、係止受け部が案内溝から抜け出る。
このようにして、腰掛部材を簡単に着脱できる。
【００１０】
前記正面部における前記洗い場壁と直交する方向の複数箇所にそれぞれ前記係止受け部が設けられ、
前記基部における前記係止受け部と対応する複数箇所にそれぞれ前記係止部が設けられていることが好ましい。
これによって、腰掛部材を安定的に設置することができる。例えば腰掛部材の前側部に荷重が片寄って加えられたときでも、腰掛部材が外れないようにできる。
【００１１】
前記係止受け部が着脱可能であることが好ましい。
これによって、係止受け部の取り付け部分の周辺及び係止受け部自体を容易に清掃できる。
【００１２】
前記浴室カウンターが、前記正面部と対向する第２洗い場壁と離れていることが好ましい。
これによって、浴室カウンターと第２洗い場壁との間をも容易に清掃できる。
【００１３】
前記浴室カウンターの上面が、前記浴槽の上面より低く、
前記座部における前記浴室カウンター上に載置されるカウンター側座面部が、前記座部における前記浴槽上に載置される浴槽側座面部よりも、前記浴室カウンターと前記浴槽の上面どうしの高低差だけ厚肉であることが好ましい。
これによって、座部の幅方向の水平度を確保するとともに、腰掛部材のカウンター側座面部を厚肉にすることによって、腰掛部材の剛性が高まる。かつ浴槽側座面部を薄肉にすることによって、座部と浴槽上面との間の段差を小さくでき、腰掛部材に腰掛けて浴槽に出入りしやすくできる。
前記カウンター側座面部の面積が、前記浴槽側座面部の面積より大きいことが好ましい。
【００１４】
本発明に係る浴室ユニットの腰掛部材（シットレスト）は、浴室ユニットにおける浴槽の正面部と交差する洗い場壁に前記浴槽から離れて設けられた浴室カウンターと前記浴槽との間に着脱可能に設けられる腰掛部材であって、
前記浴槽の上面から前記浴室カウンターの上面に跨る座部と、前記座部から下方へ突出された基部と、前記基部に形成された係止部と、を含み、
前記基部が、前記浴槽と浴室カウンターとの間に画成された離隔スペースに挿し入れられ、前記係止部が、前記浴槽と浴室カウンターと洗い場壁のうち少なくとも１つの前記離隔スペースに面する部分に設けられた係止受け部と着脱可能に係止されることを特徴とする。
【発明の効果】
【００１５】
本発明によれば、浴室ユニットにおける浴槽と浴室カウンターとの間などの清掃を容易化できる。また、腰掛部材の座り心地を改善できる。
【図面の簡単な説明】
【００１６】
【図１】図１は、本発明の第１実施形態に係る浴室ユニットの平面図である。
【図２】図２は、図１のＩＩ−ＩＩ線に沿う、前記浴室ユニットの正面断面図である。
【図３】図３は、前記浴室ユニットの斜視図である。
【図４】図４（ａ）は、図２のＩＶａ−ＩＶａ線に沿う、前記浴室ユニットの腰掛部材及びその周辺部の平面図である。図４（ｂ）は、同図（ａ）において前記腰掛部材を取り外した状態における前記浴室ユニットの平面図である。
【図５】図５は、図４（ａ）のＶ−Ｖ線に沿う、浴室ユニットの腰掛部材及びその周辺部の正面断面図である。
【図６】図６は、図５のＶＩ−ＶＩ線に沿う、前記腰掛部材の側面図である。
【図７】図７（ａ）は、前記腰掛部材を上から見た斜視図である。図７（ｂ）は、前記腰掛部材を下から見た斜視図である。
【図８】図８（ａ）〜（ｃ）は、前記腰掛部材を取り付ける様子を順次示す側面図である。
【図９】図９は、本発明の第２実施形態を示し、浴室ユニットの腰掛部材及びその周辺部の正面断面図である。
【発明を実施するための形態】
【００１７】
以下、本発明の実施形態を図面にしたがって説明する。
図１〜図３に示すように、浴室ユニット１は、浴槽２と洗い場３を含む。浴槽２は、ＦＲＰによって構成されている。浴槽２の框２ｄの正面部分２ｄａと、その下側のエプロン２ｅとによって、浴槽２の正面部２ａが構成されている。該浴槽正面部２ａと直交（交差）する洗い場壁４に浴室カウンター１０が設けられている。浴室カウンター１０は、洗い場壁４から洗い場３の内側へ突出されている。
【００１８】
図１〜図３に示すように、浴室カウンター１０は、概略水平な板状に形成され、洗い場壁４に沿って浴槽正面部２ａと直交する方向へ延びている。浴室カウンター１０の上面高さは、浴槽２の上面高さと一致している。
浴室カウンター１０は、浴槽２と同一材質のＦＲＰによって構成されている。浴室カウンター１０は、後述する腰掛荷重に十分耐え得る強度を有している。好ましくは、浴室カウンター１０の耐荷重強度は、１２０ｋｇ以上である。
【００１９】
図４（ｂ）に示すように、浴室カウンター１０における浴槽２を向く浴槽側端部１３は、平面視で斜め又は曲線状に形成されており、かつ浴槽正面部２ａから離れて配置されている。浴槽側端部１３と浴槽正面部２ａとの間に離隔スペース５が画成されている。
浴槽側端部１３と浴槽正面部２ａとの離間幅は、清掃容易化の観点から最も狭い箇所で好ましくは３０ｍｍ程度以上である。
【００２０】
図１〜図３に示すように、浴室カウンター１０における浴槽側端部１３とは反対側のコーナー側端部１４は、浴槽正面部２ａと対向するコーナー壁４Ｂ（第２洗い場壁）から離れている。コーナー側端部１４とコーナー壁４Ｂとの間に第２離隔スペース５Ｂが画成されている。
コーナー側端部１４とコーナー壁４Ｂとの離間幅は、清掃容易化の観点から最も狭い箇所で好ましくは３０ｍｍ程度以上である。
【００２１】
図４（ａ）に示すように、浴室カウンター１０の浴槽側端部１３と浴槽２との間に腰掛部材２０が設けられている。腰掛部材２０は、浴槽２及び浴室カウンター１０とは別体であり、浴槽２及び浴室カウンター１０に対して着脱可能（設置・撤去可能）になっている。
以下の説明では、特に断らない限り、腰掛部材２０は設置状態であるものとする。
【００２２】
図５に示すように、腰掛部材２０は、コア層２０ａと表層２０ｂの積層構造になっている。コア層２０ａは、ポリウレタン、ポリエチレンなどの樹脂によって構成され、好ましくは発泡樹脂によって構成されている。より好ましくは、コア層２０ａは、ポリウレタンフォームによって構成されている。
【００２３】
コア層２０ａの表面が表層２０ｂによって覆われている。
表層２０ｂは、ポリウレタン、ポリエチレンなどの樹脂膜によって構成され、好ましくはポリウレタン塗料膜によって構成されている。表層２０ｂは、レザー調に形成されていてもよく、表面にシボ柄が形成されてもよい。これによって、腰掛部材２０の意匠性が高められている。
好ましくは、表層２０ｂ及びコア層２０ａは、エーテル系のポリウレタンによって構成されている。これによって、腰掛部材２０が水との接触によって劣化、変質するのを防止できる。
腰掛部材２０のＣ硬度は、好ましくは６０以上である。これによって、良好な座り心地と不安感の無い撓み強度が発現されている。
腰掛部材２０は、例えばインテグラルスキン製法によって作成される。
【００２４】
図５〜図７に示すように、腰掛部材２０は、座部２１と基部２２を一体に含む。
図４及び図５に示すように、座部２１は、概略平板状に形成され、浴槽２の上面から浴室カウンター１０の上面に跨っている。詳しくは、座部２１は、浴槽側座面部２３と、カウンター側座面部２４と、中央座面部２５を含む。浴槽側座面部２３は、浴槽２の框２ｄの上面に載置されている。カウンター側座面部２４は、浴室カウンター１０の上面に載置されている。浴槽側座面部２３とカウンター側座面部２４の厚さは互いに等しい。
中央座面部２５は、離隔スペース５に被さっている。
【００２５】
図４（ａ）に示すように、座部２１ひいては腰掛部材２０の前面部２０ｆは、浴室カウンター１０よりも洗い場２の内側（図４（ａ）において下）へせり出している。座部２１ひいては腰掛部材２０の背面部２０ｒは、洗い場壁４に当接されている。
座部２１の面積は、同一面積の真円形状の直径が好ましくは数百ｍｍ程度、より好ましくは３００ｍｍ程度となる大きさである。座部２１は、前記面積を確保しつつ、浴槽２の風呂蓋（図示せず）と被らない形状であることが好ましい。
【００２６】
図６に示すように、座部２１の上面（座面）には、背面部２０ｒ側から前面部２０ｆ側へ向かうにしたがって下方へ緩やかに傾く排水勾配が付けられている。排水勾配は、好ましくは１／５０程度である。
【００２７】
図５〜図７に示すように、基部２２は、座部２１の中央座面部２５から下方へ突出されている。基部２２から浴槽２側（図５において左側）へ浴槽側座面部２３が水平に延び出ている。基部２２から浴室カウンター１０側（図５において右側）へカウンター側座面部２４が水平に延び出ている。
【００２８】
図４（ａ）に示すように、基部２２の平面断面形状は離隔スペース５の平面視形状と合致している。図５に示すように、該基部２２が、離隔スペース５に挿し入れられて嵌合されている。基部２２の一側面２２ａが、浴槽正面部２ａと対面し、好ましくは当接されている。基部２２の反対側の側面２２ｂが、浴室カウンター１０の浴槽側端部１３と対面し、好ましくは当接されている。
【００２９】
図５及び図６に示すように、基部２２の側面２２ａに単数又は複数（ここでは２つ）の係止部３０が形成されている。図６及び図７（ｂ）に示すように、２つの係止部３０は、基部２２の側面２２ａの前後方向（洗い場壁４と直交する方向、図６において左右）に互いに離れて配置されている。言い換えると、基部２２における後記係止受け部４１と対応する複数箇所に、それぞれ係止部３０が設けられている。
【００３０】
図６に示すように、各係止部３０は、収容凹部３１と、案内溝３２と、クリック部３３を有している。収容凹部３１は、円形凹部状に形成されている。収容凹部３１の後方側部（洗い場壁４を向く側部、図６において左側）に案内溝３２が連なっている。案内溝３２は、収容凹部３１から背面部２０ｒへ向かうにしたがって下方へ斜めに延び、基部２２の下面に達している。収容凹部３１と案内溝３２との連通部には、凸状のクリック部３３が形成されている。クリック部３３によって、収容凹部３１と案内溝３２との連通部が、収容凹部３１より狭くなっている。
【００３１】
係止部３０は、次のようにして浴槽２に係止されている。
図４（ｂ）に示すように、浴槽２の正面部２ａにおける洗い場壁４と直交する方向の２箇所（複数箇所）に、それぞれ係止受け部材４０が設けられている。
図５に示すように、各係止受け部材４０は、係止受け部４１と、被支持部４２を含む。係止受け部４１は、軸長と直径がほぼ同寸法の円柱形状に形成されている。係止受け部４１の軸線は、浴槽２の正面部２ａに対して直交するように向けられている。係止受け部４１における浴槽正面部２ａを向く面に、雄ネジからなる被支持部４２が設けられている。
【００３２】
図５に示すように、框２ｄの正面部分２ｄａには、雌ネジからなる取付部２ｃが埋設されている。取付部２ｃに被支持部４２がねじ込まれている。これによって、係止受け部材４０が浴槽２に着脱可能に取り付けられている。係止受け部４１が、浴槽正面部２ａから離隔スペース５内に突出されている。
【００３３】
図５及び図８に示すように、腰掛部材２０の各係止部３０が、対応する係止受け部４１と着脱可能に係止されている。詳しくは、係止部３０の収容凹部３１に係止受け部４１が着脱可能に収容されている。クリック部３３は、係止受け部４１の通過を弾性的に許容している。すなわち、クリック部３３は、圧縮されるように弾性変形されることで係止受け部４１の通過を許容する。非弾性変形時のクリック部３３は、係止受け部４１の通過を阻止している。
【００３４】
かかる浴室ユニット１において、腰掛部材２０を装着する際は、図８（ａ）〜（ｃ）に示すように、各案内溝３２に対応する係止受け部４１を挿し入れる。そして、腰掛部材２０を押し下げながら洗い場壁部４側へスライドさせる。すると、相対的に係止受け部４１が案内溝３２に案内され、やがてクリック部３３を通過して収容凹部３１に嵌り込む。クリック部３３の通過時にはクリック部３３が弾性変形されることでクリック感が生じる。該クリック感の有無によって、腰掛部材２０が正しく設置されたか否かを判断できる。
係止受け部４１が収容凹部３１に嵌ると、クリック部３３が非弾性変形状態に弾性復帰される。該クリック部３３によって収容凹部３１と案内溝３２との連通部が狭くなり、係止受け部４１が案内溝３２へ通り抜けるのが阻止される。これによって、係止受け部４１が不測の外力等で外れるのを防止できる。このようにして、腰掛部材２０を簡単に装着できる。
係止部３０が前後２箇所で係止受け部４１に係止されることで、腰掛部材２０を安定的に設置でき、腰掛部材２０の脱落を確実に防止できる。例えば腰掛部材２０の前側部に荷重が片寄って加えられたときでも、腰掛部材２０が外れないようにできる。
【００３５】
腰掛部材２０は、高齢者等が浴槽２に出入りする際に一旦腰掛けるのに使用できる。また、洗体等の際の座椅子としても使用できる。腰掛部材２０に座りながら足を浴槽に入れて入浴することもできる。
腰掛部材２０は軟質であるから座り心地が良好である。
腰掛荷重は腰掛部材２０から浴槽２及び浴室カウンター１０に伝達されることで、浴槽２及び浴室カウンター１０が腰掛荷重を担う。
【００３６】
浴室ユニット１の清掃の際は、腰掛部材２０を浴室カウンター１０から取り外す。すなわち、腰掛部材２０を設置時とは逆に洗い壁３の内側へ引きながら持ち上げる。これによって、相対的に係止受け部４１がクリック部３３を弾性変形させながら収容凹部３１から案内溝３２へ移行し、更に案内溝３２から抜け出る。このようにして、腰掛部材２０を簡単に着脱できる。
腰掛部材２０を取り外すことで、離隔スペース５が開放される。これによって、浴槽正面部２ａ、浴室カウンター１０の浴槽側端部１３及び洗い場壁４における離隔スペース５を画成する部分を容易に清掃できる。
腰掛部材２０の清掃も容易に行うことができる。
さらに、係止受け部材４０を外すことで、係止受け部材４０自体を容易に清掃でき、かつ浴槽正面部２ａの取付部２ｃの周辺を容易に清掃できる。
加えて、浴室カウンター１０とコーナー壁５Ｂとが互いに離れているために、コーナー側端部１４やコーナー壁５Ｂを容易に清掃できる。
【００３７】
次に、本発明の他の実施形態を説明する。以下の実施形態において既述の形態と重複する構成に関しては、図面に同一符号を付して説明を省略する。
＜第２実施形態＞
図９は、本発明の第２実施形態を示したものである。第２実施形態においては、浴室カウンター１０の上面高さが、浴槽２の上面高さより数ｍｍ〜十数ｍｍ程度、好ましくは５ｍｍ程度低い。
第２実施形態の腰掛部材２０Ｂにおいては、カウンター側座面部２４の厚さｔ２４が、浴槽側座面部２３の厚さｔ２３より大きい（ｔ２４＞ｔ２３）。これら座面部２２，２３どうしの厚さの差Δｔ（＝ｔ２４−ｔ２３）は、浴槽２と浴室カウンター１０の上面どうしの高低差ΔＨと等しい（Δｔ＝ΔＨ）。これによって、座面部２２，２３の水平レベルが揃えられ、座部２１が幅方向（図９において左右）に水平になっている。
【００３８】
第２実施形態によれば、カウンター側座面部２４を厚肉にすることによって、腰掛部材２０Ｂの強度を増大させることができる。かつ浴槽側座面部２３を薄肉にすることによって、浴槽２の上面と座部２１との間の段差を小さくでき、腰掛部材２０Ｂに腰掛けて浴槽２に出入りする移乗動作をし易くできる。
【００３９】
本発明は、前記実施形態に限定されるものではなく、その趣旨を逸脱しない範囲において種々の改変をなすことができる。
例えば、係止受け部４１が、浴室カウンター１０の浴槽側端部１３に設けられていてもよく、腰掛部材２０の係止部３０が基部２２の側面２２ｂに設けられていてもよい。
係止受け部４１が、浴槽２の正面部２ａ及び浴室カウンター１０の浴槽側端部１３の両方に設けられていてもよく、腰掛部材２０の係止部３０が基部２２の両側面２２ａ，２２ｂに設けられていてもよい。
係止受け部４１が、洗い場壁４における離隔スペース５に面する部分に設けられていてもよく、腰掛部材２０の係止部３０が背面部２０ｒに設けられていてもよい。
【産業上の利用可能性】
【００４０】
本発明は、例えば戸建て住宅や集合住宅における浴室ユニットに適用できる。
【符号の説明】
【００４１】
１        浴室ユニット 
２        浴槽
２ａ      正面部
２ｃ      取付部
３        洗い場
４        洗い場壁
４Ｂ      コーナー壁（第２洗い場壁）
５        離隔スペース
５Ｂ      第２離隔スペース
１０      浴室カウンター
２０      腰掛部材
２１      座部
２２      基部
２２ａ    正面部と対向する側面
２３      浴槽側座面部
２４      カウンター側座面部
２５      中央座面部
３０      係止部
３１      収容凹部
３２      案内溝
３３      クリック部
４０      係止受け部材
４１      係止受け部
４２      被支持部
【図１】
2020115972.tif 000003
【図２】
2020115972.tif 000004
【図３】
2020115972.tif 000005
【図４】
2020115972.tif 000006
【図５】
2020115972.tif 000007
【図６】
2020115972.tif 000008
【図７】
2020115972.tif 000009
【図８】
2020115972.tif 000010
【図９】
2020115972.tif 000011